(57)【要約】【課題】複雑な回路によって駆動部を駆動する構成を用いなくとも駆動可能な構成となり、効率的に装飾性を高め得る構成を提供する。【解決手段】遊技機１は遊技球が流下可能に構成されると共に、圧電素子１０１と、圧電素子１０１と電気的に接続された駆動部（発光素子１０３）を有する装飾部品とを備えている。そして、圧電素子１０１に接続される接続部１１０に対し、遊技球が衝突可能に構成されており、遊技球の衝突に基づいて圧電素子１０１が変形することにより駆動電流が発生し、圧電素子１０１からの駆動電流によって発光素子１０３が発光するように構成されている。【選択図】図３
2010075734.tif 000002
【特許請求の範囲】
【請求項１】
遊技球が流下可能に構成された遊技機であって、
圧電素子と、
前記圧電素子と電気的に接続された駆動部を有する装飾部品とを備え、
前記圧電素子又は前記圧電素子に接続される部品に対し、前記遊技球の衝突が伝達可能に構成されており、
前記遊技球の衝突に基づいて前記圧電素子が変形することにより駆動電流が発生し、当該圧電素子からの前記駆動電流によって前記駆動部が駆動することを特徴とする遊技機。
【発明の詳細な説明】
【技術分野】
【０００１】
本発明は、遊技機に関する。
【背景技術】
【０００２】
従来、遊技機の一種として例えばパチンコ機が広く知られている。このようなパチンコ機等の遊技機では、遊技領域に配置される遊技部品（例えば、風車、装飾ランプ、表示装置など）に様々なデザインを施し、装飾効果を上げて遊技者の興味をなるべく引くように構成されている。このような背景のなか、より一層装飾効果を高めようとする技術として例えば特許文献１のようなものが提供されている。
【先行技術文献】
【特許文献】
【０００３】
【特許文献１】特開２００３−３２５７７０公報
【発明の概要】
【発明が解決しようとする課題】
【０００４】
ところで、従来の遊技機では、発光素子等の駆動部を駆動させる構成としては、駆動部を各種基板に接続するとともに、メイン基板からの制御信号に応じて駆動部を通電して駆動するような構成が用いられている。このような構成では、駆動部は必ず何らかの基板に接続する必要があり、かつ、駆動の際には何らかの制御信号を与えなければならない。したがって、ワイヤ−ハーネス、基板等などといった駆動部を駆動させるために必要となる部品数が多くなりがちであり、遊技機全体の複雑化、部品点数の増加等を招いていた。
【０００５】
本発明は上記のような事情に基づいてなされたものであって、複雑な回路によって駆動部を駆動する構成を用いなくとも駆動可能な構成となり、効率的に装飾性を高め得る構成を提供することを目的とする。
【課題を解決するための手段】
【０００６】
上記課題を解決するために有効な手段等を以下に示す。なお、必要に応じてその作用効果等についても説明する。
手段１．遊技球が流下可能に構成された遊技機であって、
圧電素子と、
前記圧電素子と電気的に接続された駆動部を有する装飾部品とを備え、
前記圧電素子又は前記圧電素子に接続される部品に対し、前記遊技球の衝突が伝達可能に構成されており、
前記遊技球の衝突に基づいて前記圧電素子が変形することにより駆動電流が発生し、当該圧電素子からの前記駆動電流によって前記駆動部が駆動することを特徴とする遊技機。
【０００７】
このようにすれば、複雑な回路によって駆動部を駆動する構成を用いなくとも圧電素子により遊技球の衝突エネルギーを有効に利用して駆動できる構成となり、効率的に装飾性を高め得る構成となる。なお、「遊技球の衝突が伝達可能に構成されている」とは、圧電素子又は圧電素子に接続される部品に対して直接遊技球が衝突する構成と、圧電素子又は圧電素子に接続される部品以外の第３の部品に遊技球が衝突し、その第３の部品が圧電素子又は圧電素子に接続される部品に作用（例えば、第３の部品が圧電素子又は圧電素子に接続される部品を押し出す等）して、その結果圧電素子が変形するような態様をも包含する。
【０００８】
手段２．前記圧電素子の一部が前記遊技球が衝突を受ける衝突部として構成されていることを特徴とする手段１に記載の遊技機。
【０００９】
このように、遊技球を直接圧電素子に衝突させるようにすれば、圧電素子の変形を大きくすることができ、効率的に電流を発生させることができることとなる。具体的には、例えば、圧電素子を板状に構成し、その板面に直接遊技球を衝突させるようにすることができる。
【００１０】
手段３．前記圧電素子の板面を覆うようにカバー部が配置されており、当該カバー部の外面に前記遊技球が衝突するように構成されていることを特徴とする手段１に記載の遊技機。
【００１１】
このようにすれば、圧電素子の劣化を効果的に保護できる。なお、例えば、圧電素子の板面を覆うように非導電性のカバー部を配置してもよく、導電性のカバー部を板面上に配置し、電極として機能させるようにしてもよい。また、カバー部は単層でもよく、複数の層によって構成されていてもよい。
【００１２】
手段４．前記圧電素子は、板状に形成され、かつ撓むように変形可能に構成されていることを特徴とする手段２又は手段３に記載の遊技機。
【００１３】
このようにすれば、圧電素子がより変形しやすくなり、起電力が生じやすい構成となる。具体的には例えば、圧電素子の一端を自由端として構成し、当該圧電素子においてこの自由端側が撓むように構成してもよく、圧電素子の両端を支持して両持ち状に構成し、当該圧電素子の中央付近が撓むように構成してもよい。
【００１４】
手段５．複数の前記圧電素子が積層された構成をなし、その積層体が変形可能に構成されていることを特徴とする手段２ないし手段４のいずれかに記載の遊技機。
【００１５】
このように、複数の前記圧電素子を積層して構成し、積層体全体を変形させるようにすれば、より大きな起電力を生じさせることができ、強度的にも優れた構成となる。
【００１６】
手段６．前記積層体は、２枚の前記圧電素子を有し、これら圧電素子の間に導体からなる又は導電性を有する接続板が配置された構成をなすことを特徴とする手段５に記載の遊技機。
【００１７】
このようにすれば、２枚の圧電素子から効率的に電流を取り出すことができる構成となる。
【００１８】
手段７．前記積層体は、一端側が自由端とされて当該自由端付近に遊技球が衝突可能とされていることを特徴とする手段５又は手段６に記載の遊技機。
【００１９】
このようにすれば、遊技球の衝突によって圧電素子がより一層変形しやすい構成となる。具体的には、手段７に記載の遊技機において、積層体を長手状に構成すると共に長手方向一端側を自由端とし、他端側を所定の保持部材によって保持するように構成し、前記自由端側に遊技球が衝突することによって撓みが生じるように構成できる。
【００２０】
手段８．前記遊技盤の前面よりさらに前方に前記積層体の一部が配置され、当該積層体における前記前面よりも前方に配置される部分に対して前記遊技球が衝突するように構成されていることを特徴とする手段５ないし手段７のいずれかに記載の遊技機。
【００２１】
このようにすれば、積層体に遊技球の衝撃を加えやすい構成となる。なお、本発明全体を通して、遊技盤の前面と直交する方向を遊技機の前後方向とし、遊技者側を前方側、遊技機裏側を後方側とする。また、長手状に構成される遊技機の長手方向を上下方向、短手方向を左右方向とする。手段８の構成では、遊技盤の前面よりも前方側に構成される遊技球の流路に積層体の一部が配置されることとなり、流下する遊技球が積層体の一部に衝突しやすくなる。
【００２２】
手段９．前記積層体は、前記遊技盤の前面に沿った方向に撓むように構成されていることを特徴とする手段５ないし手段８のいずれかに記載の遊技機。
【００２３】
このようにすれば、遊技球の流下による力によって積層体が変形しやすい構成となる。手段９の構成において、より具体的には、前記積層体を長手状に構成し、前記積層体の板面方向と前記遊技盤の前面がほぼ直交し、前記前面の面方向に沿った長手方向となるように（即ち、遊技盤の前面と積層体の長手方向とがほぼ平行方向となるように）、前記積層体を配置できる。このようにすれば、遊技盤の前面に沿った方向により撓みが生じやすくなる。
【００２４】
手段１０．前記遊技盤の前面より後方に前記積層体の一部が配置されていることを特徴とする手段５ないし手段９のいずれかに記載の遊技機。
【００２５】
このようにすれば、遊技盤の前面に積層体全体を配置しなくてもよく、遊技盤前面上のスペースを確保しやすい構成となる。
【００２６】
手段１１．前記圧電素子と接続される接続部が遊技球からの衝突を受ける衝突部として構成されており、当該接続部の変位又は変形により前記圧電素子を変形させる力が生じることを特徴とする手段１に記載の遊技機。
【００２７】
このようにすれば、圧電素子に直接遊技球が衝突されず、圧電素子自体を効果的に保護でき、耐久性の高い構成となる。
【００２８】
手段１２．前記接続部は、板状部品からなり、当該板状部品の板面に前記圧電素子が接合されていることを特徴とする手段１１に記載の遊技機。
【００２９】
このように接続部を板状に構成すれば、圧電素子を保持しやすく、圧電素子に力を作用させやすい好適構成となる。
【００３０】
手段１３．前記接続部は、撓むように変形可能に構成されており、当該接続部が撓むことにより当該接続部に接続される前記圧電素子が変形して前記駆動電流が生じることを特徴とする手段１２に記載の遊技機。
【００３１】
このようにすれば、接続部が変形しやすく、かつ接続部の変形に伴って圧電素子を変形させやすい構成となる。手段１３に記載のものにおいて、より具体的には、例えば接続部を板状に構成し、当該接続部が、当該接続部の板面方向と直交する方向に撓むように構成できる。
【００３２】
手段１４．前記接続部は、一端側が自由端とされてこの自由端付近に遊技球が衝突可能とされており、当該接続部の自由端から所定距離離れた位置に前記圧電素子が接合されていることを特徴とする手段１３に記載の遊技機。
【００３３】
このようにすれば、遊技球の衝突によってより圧電素子を大きく変形させることのできる構成となる。手段１４に記載の遊技機において、より具体的には、例えば接続部を板状に、かつ長手状に構成し、長手方向の一端側を当該接続部の自由端として構成し、その長手状に構成される接続部の少なくとも中央付近又は少なくとも他端側に圧電素子を配置するように構成できる。
【００３４】
手段１５．前記圧電素子から、当該圧電素子の板面方向所定距離離れた位置において前記接続部が前記遊技球の衝突を受けるように構成されていることを特徴とする手段１１ないし手段１４のいずれかに記載の遊技機。
【００３５】
このようにすれば圧電素子を効果的に保護しつつ変形させることができる好適構成となる。
【００３６】
手段１６．前記遊技盤の前面よりもさらに前方に前記接続部の少なくとも一部が配置されていることを特徴とする手段１１ないし手段１５のいずれかに記載の遊技機。
【００３７】
このようにすれば、接続部に遊技球の衝撃を加えやすい構成となる。即ち、手段１６の構成では、遊技盤の前面よりも前方側に構成される遊技球の流路に接続部の一部が配置されることとなり、流下する遊技球が接続部の一部に衝突しやすくなる。なお、遊技盤の前面よりも前方に接続部の一部のみを配置してもよく、接続部の全部を配置してもよい。
【００３８】
手段１７．前記接続部は、前記遊技盤の前面に沿った方向に撓むように構成されていることを特徴とする手段１１ないし手段１６のいずれかに記載の遊技機。
【００３９】
このようにすれば、遊技球の流下による力によって接続部が変形しやすい構成となる。手段１７の構成において、より具体的には、前記接続部を長手状に構成し、前記接続部の板面方向と前記遊技盤の前面がほぼ直交し、前記前面の面方向に沿った長手方向となるように（即ち、遊技盤の前面と接続部の長手方向とがほぼ平行方向となるように）、前記接続部を配置できる。このようにすれば、遊技盤の前面に沿った方向により撓みが生じやすくなる。
【００４０】
手段１８．前記遊技盤の前面より後方に前記接続部の少なくとも一部が配置されていることを特徴とする手段１１ないし手段１７のいずれかに記載の遊技機。
【００４１】
このようにすれば、遊技盤前面上のスペースを効果的に確保できる構成となる。なお、遊技盤の前面よりも後方に接続部の一部のみを配置してもよく、接続部の全部を配置してもよい。
【００４２】
手段１９．前記圧電素子と前記駆動部とを備えてなる圧電素子ユニットにおいて、少なくとも前記駆動部は、デザインが施された樹脂カバー部の内部に収容されており、当該樹脂カバー部から前記衝突部が、遊技球の流路に露出した構成をなしていることを特徴とする手段２ないし手段１８のいずれかに記載の遊技機。
【００４３】
このようにすれば、デザインが施された樹脂カバー部内に駆動部（例えば発光素子）を配置できる構成となり、他方、衝突部は遊技球の衝突を受けやすく、駆動部は遊技球から効果的に保護できる構成となる。
【００４４】
手段２０．前記圧電素子と前記駆動部とを備えてなる圧電素子ユニットの全体が前記遊技盤の前面よりも前方に配置されることを特徴とする手段１ないし手段１９のいずれかに記載の遊技機。
【００４５】
このようにすれば、遊技盤にルータ加工等の特殊な加工を施さずとも駆動部を備えてなる圧電素子ユニットを遊技盤前方位置に配置できることとなる。
【００４６】
手段２１．前記圧電素子と前記駆動部とを備えてなる圧電素子ユニットの少なくとも一部が、遊技盤に形成された加工孔に挿入された状態で配置されていることを特徴とする手段１ないし手段１９のいずれかに記載の遊技機。
【００４７】
このようにすれば、奥行き方向のスペースを利用して圧電素子ユニットを効率的に配置することができる。
【００４８】
手段２２．前記駆動部は、制御手段を備えてなる制御基板に直接的又は間接的に接続されておらず、前記圧電素子のみが電源とされ、他の電源は用いられないことを特徴とする手段１ないし手段２１のいずれかに記載の遊技機。
【００４９】
このようにすれば、制御手段（ＣＰＵ）を備えてなる制御基板或いは当該制御手段に接続される別基板の端子や電源を用いずとも駆動が可能となり、制御基板やこの制御基板に接続される別基板に影響を与えない極めて有効な構成となる。
【００５０】
手段２３．前記駆動部は、前記駆動電流によって発光する発光素子からなることを特徴とする手段１ないし手段２２のいずれかに記載の遊技機。
【００５１】
手段２３の構成によれば、複雑な構成を用いずとも発光素子を発光できることとなり、効率的に装飾性を高め得る構成となる。また、発光素子は大電流を用いずとも駆動が可能となるため、駆動部として好適な構成となる。具体的には、例えばＬＥＤによって発光素子を構成できる。
【００５２】
手段２４．前記発光素子の一対の端子が前記圧電素子又は前記圧電素子に接合された導体に接合されていることを特徴とする手段２３に記載の遊技機。
【００５３】
このように圧電素子又は圧電素子に接合された導体に直接発光素子の端子を接続すれば、圧電素子と発光素子との間の配線が省略され、極めてコンパクトな構成となる。具体的には圧電素子の板面に直接発光素子の端子を接合してもよく、圧電素子の板面に導体を接合し、この導体に発光素子の端子を接合してもよい。
【００５４】
手段２５．前記圧電素子は所定のベース部材に接合されており、このベース部材に前記発光素子が実装されていることを特徴とする手段２３に記載の遊技機。
【００５５】
このようにすれば、ハーネスを省略することができ、部品点数の削減、装置のコンパクト化を図ることができる。具体的には、ベース部材を板状部材によって構成し、この板状部材に圧電素子と発光素子の各々を接合するように構成できる。この場合、ベース部材（板状部材）においてスルーホール、ビアホール、ワイヤボンディング、或いは所定パターン等の配線部を設け、圧電素子と発光素子を電気的に接続することができる。
【００５６】
手段２６．前記圧電素子は、当該圧電素子の変形状態に応じて生じる前記駆動電流の向きが変化するようになっており、
前記駆動部は、前記駆動電流が一方の向きの場合に駆動する第１駆動部と、他方の向きの場合に駆動する駆動する第２駆動部とを備えてなることを特徴とする手段１ないし手段２５のいずれかに記載の遊技機。
【００５７】
このようにすれば、双方の電流の向きに対応して各々駆動部が配置されることとなり、２つの駆動態様を生じさせることができる構成となる。具体的には、撓み方向に応じて駆動電流が変更されるように構成でき、自然状態から第１方向に撓んだ場合に一方の向きに駆動電流が生じ、第１方向とは反対の第２方向に撓んだ場合に他方の向きに駆動電流が生じるように構成できる。
【００５８】
手段２７．前記圧電素子は、当該圧電素子の変形状態に応じて生じる前記駆動電流の向きが変化するようになっており、
前記発光素子は、前記駆動電流が一方の向きの場合に発光する第１発光素子と、他方の向きの場合に発光する第２発光素子とを備えてなることを特徴とする手段２３ないし手段２５のいずれかに記載の遊技機。
【００５９】
このようにすれば、双方の電流の向きに対応して各々発光素子が配置されることとなり、２つの発光態様を生じさせることができる構成となる。この場合でも、撓み方向に応じて駆動電流が変更されるように構成でき、自然状態から第１方向に撓んだ場合に一方の向きに駆動電流が生じ、第１方向とは反対の第２方向に撓んだ場合に他方の向きに駆動電流が生じるように構成できる。
【００６０】
手段２８．前記圧電素子と前記駆動部との間にハーネス部が介在するように接続されていることを特徴とする手段１ないし手段２７のいずれかに記載の遊技機。
【００６１】
このようにすれば、圧電素子からある程度離れた場所で駆動部を駆動させたい場合に都合のよい構成となる。具体的には、可撓性を有するハーネス部を配置することができる。
【００６２】
手段２９．前記圧電素子はバイモルフ構造をなすことを特徴とする手段１ないし手段２８のいずれかに記載の遊技機。
【００６３】
このようにすれば、小型化を実現しつつ駆動電流を確保できる構成となる。
【００６４】
手段３０．遊技球の戻りを防止する戻り球防止部材を有し、前記戻り球防止部材が前記衝突部として構成されることを特徴とする手段１ないし手段２９のいずれかに記載の遊技機。
【００６５】
このようにすれば、遊技球によって大きなエネルギーを得ることができ、かつ衝突回数が大きい構成となる。
【００６６】
手段３１．遊技球の流路の境界付近に配置されると共に、遊技球の衝突を受ける衝突受け部材を有し、前記衝突受け部材が前記衝突部として構成されることを特徴とする手段１ないし手段２９のいずれかに記載の遊技機。
【００６７】
このようにすれば、遊技球の衝突を緩衝しつつ、受けたエネルギーを効果的に装飾に用いることができる構成となる。
【００６８】
手段３２．遊技球が進入可能に構成された入賞口を有し、前記衝突部が前記入賞口に配置されることを特徴とする手段１ないし手段２９のいずれかに記載の遊技機。
【００６９】
このようにすれば、入賞口に進入する遊技球のエネルギーを効果的に装飾に用いることができ、斬新な入賞口構成となる。具体的には、例えば、入賞口に進入した遊技球のみが前記衝突部に衝突するように構成できる。
【００７０】
手段３３．前記衝突部が前記入賞口開閉部材に配置されることを特徴とする手段１ないし手段２９のいずれかに記載の遊技機。
【００７１】
このようにすれば入賞口開閉部材が斬新な構成となる。具体的には、例えば、入賞口に進入する遊技球のみが前記衝突部に衝突するように構成できる。一例としては、入賞口開閉部材が開放した場合にのみ前記衝突部に遊技球が衝突可能となるように構成できる。
【００７２】
手段３４．遊技盤において表示装置が設けられ、前記表示装置の上部に前記圧電素子が配置されることを特徴とする手段１ないし手段２９のいずれかに記載の遊技機。
【００７３】
このようにすれば、表示装置の上部スペースを利用して効率的な装飾が可能となる。
【００７４】
手段３５．前記装飾部品内部において遊技球が通過可能に構成されたワープルートが設けられ、前記衝突部はワープルートの内部に配置されており、前記ワープルートを流下する遊技球の衝突によって前記駆動電流が生じるように構成されていることを特徴とする手段１ないし手段２９のいずれかに記載の遊技機。
【００７５】
このようにすれば、ワープルートが斬新な構成となる。
【００７６】
手段３６．前記遊技盤において釘部品が設けられており、当該釘部品に前記圧電素子が接続されていることを特徴とする手段１ないし手段２９のいずれかに記載の遊技機。
【００７７】
このようにすれば、釘部品が受ける衝撃を効果的に装飾に利用できる構成となる。
【００７８】
手段３７．前記遊技盤において遊技機用の風車部品が設けられており、当該風車部品の回転に応じて前記圧電素子が変形するように構成されていることを特徴とする手段１ないし手段２９のいずれかに記載の遊技機。
【００７９】
このようにすれば、風車部品が受けるエネルギーを効果的に装飾に用いることができ、かつ斬新な風車部品を実現できる。
【発明の効果】
【００８０】
請求項１の構成によれば、複雑な回路によって駆動部を駆動する構成を用いなくとも圧電素子により遊技球の衝突エネルギーを有効に利用して駆動できる構成となり、効率的に装飾性を高め得る構成となる。
【図面の簡単な説明】
【００８１】
【図１】本発明の実施形態１に係る遊技機を概念的に例示する斜視図
【図２】本発明の実施形態１に係る遊技機を概念的に例示する正面図
【図３】図２の遊技機の遊技盤構成を概念的に示す正面図
【図４】圧電素子ユニットの構成を例示する斜視図
【図５】図４の圧電素子ユニットの回路図
【図６】図４の圧電素子ユニットの正面図及び側面図
【図７】発光素子の配置例を示す図
【図８】本発明の実施形態２に係る遊技機の遊技盤構成を概念的に例示する正面図
【図９】実施形態３の要部を例示する説明図
【図１０】実施形態４の要部を例示する説明図
【図１１】実施形態５の遊技盤構成を例示する説明図
【図１２】実施形態５の要部を例示する説明図
【図１３】実施形態６の圧電素子ユニットの構成を例示する斜視図
【図１４】図１３の圧電素子ユニットの回路図
【図１５】図１３の圧電素子ユニットに関し、発光素子の配置例を示す図
【図１６】実施形態７の圧電素子ユニットの構成を例示する斜視図
【図１７】図１６の圧電素子ユニットの回路図
【図１８】図１６の圧電素子ユニットの正面図及び側面図
【図１９】本発明の実施形態７に係る遊技機を概念的に例示する正面図
【図２０】回路構成の別例を示す図
【図２１】実施形態８の圧電素子ユニットの構成を例示する斜視図
【図２２】図２１の圧電素子ユニットの正面図及び側面図
【発明を実施するための形態】
【００８２】
＜実施形態１＞
本発明の実施形態１を図１ないし図４を参照しつつ説明する。
図１は、実施形態１に係る遊技機を概念的に例示する斜視図、図２は図１の正面概念図、図３はその遊技機の遊技盤構成を概念的に説明する説明図である。
【００８３】
本実施形態の一例である遊技機１はパチンコ機として構成されるものであり、例えば遊技ホールに設置されたパチンコ島台のカウンタ台の上部にて複数横方向に並べられて設けられるものである。遊技機１は、図１及び図２に示すように、前部には前枠２が設けられ、さらにその前枠２にガラス扉枠３（ガラス扉枠３が本発明の透明板保持部に相当する）が取付けられている。ガラス扉枠３は、縦軸の回動軸を有するヒンジ部８１により前枠２（本体枠）に開閉可能に支持され、かつガラス（透明板に相当）が嵌め込まれた金属製の枠（図示略）を備えている。この枠に二枚のガラス（前方ガラス、後方ガラス）が嵌め込まれてガラスユニットが構成されている。なお、枠は樹脂製であってもよい。
【００８４】
ガラス扉枠３の後方には、図３のような構成をなす遊技盤７が配置されている。遊技盤７は、図３に示すように略円形の遊技領域（レール２２に沿った境界によって囲まれる領域）を有し、その遊技領域には第１種始動口４、特別表示装置（以下、単に「表示装置」ともいう）５及び大入賞口６が設けられている。第１種始動口４は遊技球の通路を備え、その通路入口に羽根４ａが開閉可能に支持されている。表示装置５は、例えば図柄を動的に表示する図柄表示装置として構成できる。
【００８５】
図１及び図２に示すように、ガラス扉枠３の下部には、賞球が払い出される上受け皿３ａが装着されている。また、前枠２の下方には下受け皿２ａが装着されている。下受け皿２ａは、前記上受け皿３ａに入りきらない賞球や、上受け皿３ａから球抜きした抜き球や、或いはファウル球等の余剰球を、余剰球出口から排出させて貯留させるものである。前枠２における下受け皿２ａの右側方には遊技球を発射するための発射ハンドル１７が回動操作可能に装着されている。発射ハンドル１７に対応する前枠２の裏側には駆動手段としてのモータ（図示せず）が装着されており、発射ハンドル１７の回動操作によってモータか回動され、これにより打球杆（図示せず）が間欠動作されるとともに、前記発射ハンドル１７の回動角度に応じた弾発力に調節される。従って、前記モータ及び打球杆等によって球発射装置が構成されている。
【００８６】
図１ないし図３に示すように、表示装置５は第１種始動口４の上方に設けられており、液晶ディスプレイ（ＬＣＤ）からなる画面５ａを備えている。画面５ａには多種類の画像が表示されるが、その１つとして、左図柄列８、中図柄列９及び右図柄列１０が表示される。図柄列の数は前述したもの（３列）に限られず、１列、２列、４列以上であってもよい。各図柄列は、数字、記号等からなる複数の図柄によって構成されている。また、上下に図柄列が並ぶ構成であってもよい。例えば、上図柄列、中図柄列、下図柄列といったように並ぶ構成であってもよい。なお、図柄構成については後述する。
【００８７】
図３に示すように、表示装置５では、図柄列の図柄変動が、遊技球の第１種始動口４への入賞により開始される。図柄変動は例えば左図柄列、右図柄列、中図柄列の順に停止されるが、これは一例にすぎず、別の順序で停止されてもよい。全ての図柄列での図柄変動が停止したとき、表示されている図柄（以下「停止図柄」という）の組合せが、予め定められた組合せ（特定表示結果、以下「大当りの組合せ」という）、すなわち、同一種類の図柄が大当りラインに沿って並んでいるときの同図柄の組合せ（例えば、７７７）、となる場合がある。この停止図柄の組合せを、以下「大当り図柄」という。本実施形態では、大当りラインとして、水平方向へ延びるもの（上・中・下の３種類）と、斜め方向へ延びるもの（右下がり・左下がりの２種類）の合計５種類存在するが、これに限られない。例えば、大当りラインの数が１つであり、通常、「１ライン」と呼ばれているものであってもよい。そして、大当りの組合せが成立すると特別電動役物が作動し、遊技者にとって有利な特別遊技状態としての大当り遊技状態が到来し、より多くの賞球を獲得することが可能となる。
【００８８】
さらに、遊技機１は大当り遊技状態の発生に先立ちリーチ遊技状態となる。ここで、リーチ遊技状態とは大当り遊技状態の直前の状態をいい、例えば、右図柄列での図柄変動が、大当りライン上において左図柄列での停止図柄と同一種類の図柄で停止し、かつ、その後に中図柄列での図柄変動が左右両図柄列での停止図柄と同一種類の図柄で停止されれば最終的に大当りの組合せとなる状態を含む。また、図柄変動が停止すると、大当り遊技状態となる組合せで変動し、その図柄で停止されれば最終的に大当り遊技状態となる場合において、その変動中の状態もリーチ遊技状態に含まれる。これは、通常、全回転（全図柄）リーチと呼ばれているものである。
【００８９】
図３に示すように、大入賞口６は第１種始動口４の下方に設けられており、１つのＶゾーン１１、２つの通路１２，１３及びシャッタ１４を備えている。シャッタ１４（入賞口開閉部材に相当する）は大入賞口用ソレノイド１５（以下、単に「ソレノイド１５」ともいう）により作動させられ、Ｖゾーン１１及び通路１２，１３の各入口を開閉する。
【００９０】
図３に示すように、遊技盤７には、始動口用スイッチ１８、Ｖゾーン用スイッチ１９及びカウントスイッチ２０が取付けられている。始動口用スイッチ１８は、遊技球の第１種始動口４への入賞を検出する。Ｖゾーン用スイッチ１９は遊技球のＶゾーン１１への入賞を検出し、カウントスイッチ２０は遊技球の大入賞口６への入賞を検出する。また、各スイッチ１８乃至２０の検出結果に基づきソレノイド１５及び表示装置５をそれぞれ制御するために、制御装置２１が設けられている。制御装置２１は読出し專用メモリ（ＲＯＭ）、中央処理装置（ＣＰＵ（ＣＰＵが制御手段に相当する））、ランダムアクセスメモリ（ＲＡＭ）等を備えている。ＲＯＭは所定の制御プログラムや初期データを予め記憶しており、ＣＰＵはＲＯＭの制御プログラム等に従って各種演算処理を実行する。なお、ＣＰＵが特許請求の範囲でいう表示制御手段に相当する。ＲＡＭはＣＰＵによる演算結果を一時的に記憶する。尚、より詳細には、制御装置２１は、遊技機１の主制御を行うメイン基板（メイン基板が手段２２でいう制御基板に相当する）と、当該メイン基板からの信号によって各部を制御するための表示制御基板、音量調整基板、ＬＥＤ基板、払出し制御基板等の各種のサブ基板（サブ基板は、手段２２でいう制御基板に接続される別基板に相当する）とを備えて構成されており、不正信号がメイン基板へ入力されることを防止するために、信号の伝送方向は、メイン基板からサブ基板への一方向のみとなっている。
【００９１】
ＣＰＵによる制御の１つとして、大当り遊技状態の発生確率を条件に応じて変動させる、いわゆる確率変動がある。具体的には、１／３００程度の低確率で大当り遊技状態を発生させる低確率モードと、その約５倍である１／６０程度の高確率で大当り遊技状態を発生させる高確率モードとが用意されており、大当り図柄の種類に応じて確率モードが切替えられる。すなわち、大当り図柄が、予め定められた特別図柄（例えば奇数図柄）であると高確率モードに設定され、予め定められた通常図柄（例えば偶数図柄）であると低確率モードに設定される。なお、低確率モードでの発生確率に対する高確率モードでの発生確率の倍数は、前述した値（約５）以外の値であってもよい。
【００９２】
次に圧電素子ユニットについて説明する。
図１ないし図３に示すように、遊技機１において、装飾部品９０には、圧電素子ユニット１００が設けられており、この圧電素子ユニット１００には、圧電素子１０１（符号１０１は両圧電素子１２１、１２２を総称する符号とする）と、圧電素子１０１と電気的に接続された発光素子１０３（発光素子１０３が駆動部に相当する）が設けられている。そして、圧電素子１０１又は当該圧電素子をカバーする図示しないカバー部に対し、遊技球が衝突可能に構成されており、遊技球の衝突に基づいて圧電素子１０１が変形することにより駆動電流が発生し、当該圧電素子１０１からの駆動電流によって発光素子１０３が発光するように構成されている。これにより、複雑な回路によって駆動部を駆動する構成を用いなくとも駆動可能な構成となり、効率的に装飾性を高め得る構成となっている。
【００９３】
接続部１１０は、遊技球の戻りを防止する戻り球防止部材として構成されており、この戻り球防止部材に圧電素子１０１（各圧電素子１２１、１２２）が接続される構成をなしている。したがって、遊技球によって圧電素子１０１を変形させるための大きなエネルギーを得ることができ、かつ衝突回数が大きい構成となっている。具体的には、各圧電素子１２１、１２２の各々の板面と接合し、かつこれらに挟まれるようにして接続される接続部１１０に対し遊技球からの衝突が伝達されるように構成されており、接続部１１０の変位又は変形により各圧電素子１２１、１２２を変形させる力が生じるように構成されている。したがって、圧電素子には直接遊技球が衝突せず耐久性の高い構成となっている。
【００９４】
図４に示すように、本実施形態での接続部１１０は、板状部品からなり、板状部品の両方の板面に各圧電素子１２１、１２２がそれぞれ接合されており、圧電素子１０１は２枚の圧電素子１２１、１２２によってバイモルフ構造をなしている。接続部１１０は弾性変形可能な可撓性部品を有し、一端側が保持部１０２、１０２によって挟圧保持されて固定されており、図４の破線部１１０ａ、１１０ｂにて示すように接続部１１０の他端側（自由端側）が撓むことによりそれと連動して両圧電素子１２１、１２２が変形して（より具体的には、接続部１１０の自由端側が撓むことにより積層体１０６全体が撓んで圧電素子１２１、１２２が変形し）起電力が発生して駆動電流が生じ、発光素子１０３へ流れるようになっている。
【００９５】
図１ないし図４にて示すように、可撓性部品からなる接続部１１０は、一端側が自由端とされて当該自由端付近に遊技球が衝突可能とされており、自由端から所定距離離れた位置に圧電素子１０１（両圧電素子１２１、１２２）が接合されている。これにより、遊技球の衝突力を増幅させて圧電素子１０１（両圧電素子１２１、１２２）に伝達することができるようになっている。さらに、圧電素子１０１（両圧電素子１２１、１２２）から、両圧電素子１２１、１２２の板面方向所定距離離れた位置において接続部１１０が遊技球の衝突を受けるように構成されており、圧電素子を効果的に保護しつつ変形させることができるようになっている。
【００９６】
本実施形態では、図１にて示すように、遊技盤７の前面７ａより前方に接続部１１０が配置されており、接続部１１０に遊技球の衝撃を加えやすい構成となっている。さらに、接続部１１０は、遊技盤７の前面７ａに沿った方向に撓むように構成されており、遊技球の流下による力によって変形しやすい構成となっている。
【００９７】
図１ないし図３に示すように、圧電素子１０１と発光素子１０３とを備えてなる圧電素子ユニット１００において、少なくとも発光素子１０３（駆動部）は、デザインが施された樹脂カバー部９２の内部に収容されており、当該樹脂カバー部９２から接続部１１０（ここでは接続部１１０が手段１１でいう衝突部に相当する）が、遊技球の流路に露出した構成をなしている。これにより、デザインが施された樹脂カバー部９２を効果的に発光させることのできる構成となり、他方、接続部１１０は遊技球の衝突を受けやすく、発光素子１０３は遊技球から効果的に保護される構成となっている。また、本実施形態では、圧電素子ユニット１００全体が遊技盤７の前面７ａよりも前方に配置されており、遊技盤７にルータ加工を施さずとも発光可能な構成となっている。なお、樹脂カバー部９２は、発光素子１０３の全体をカバーしており、発光素子１０３の前方には透光性を有する部分が設けられて発光素子１０３からの光を前方に照射可能に構成さている。
【００９８】
本実施形態では、図４及び図５に示すように、発光素子１０３は制御装置２１のメイン基板に直接的又は間接的に接続されておらず、圧電素子１０１のみが電源とされ、他の電源は用いられない構成をなしている。これにより、制御基板（即ちメイン基板）或いは制御基板に接続される別基板（即ちサブ基板）の端子を用いずとも装飾部品９０の発光が可能となり、仮に駆動部の数を増大させてもメイン基板やサブ基板に影響を与えない構成となっている。
【００９９】
さらに本実施形態では、駆動部が駆動電流によって発光する発光素子によって構成されているため、大電流を用いずとも駆動が可能となっており、あまり衝突力が大きくなくても駆動がなされることとなる。また、図４は圧電素子ユニット１００の斜視図を概念的に示し、図６は正面図及び側面図を概念的に示しているが、圧電素子１０１（両圧電素子１２１、１２２）は所定のベース部材（即ち接続部１１０）の板面にそれぞれ接合されており、このベース部材（接続部１１０）に発光素子１０３が実装されている。これによりハーネスを省略することができ、部品点数の削減、装置のコンパクト化が図られている。なお、圧電素子１２１、１２２と、ベース部材（接続部１１０）と、発光素子１０３を電気的に接続するように、図５に示すような回路が構成されている。具体的には、圧電素子１２１における外側の板面１２１ａ側に接続される配線と、圧電素子１２２の外側の板面１２２ａ側に接続される配線とが共に端子Ｔ２に接続される構成をなしている（図６（ｂ）においてＴ２への接続経路は破線部にて概念的に示している）。一方、圧電素子１２１の内側の板面１２１ｂ側に接続される配線と、圧電素子１２２の内側の板面１２２ｂ側に接続される配線とが共に端子Ｔ１に接続されており、図６（ｂ）には、Ｔ１への接続経路Ｃ１を実線にて概念的に示している。なお、板状部材における配線（即ち、図６（ｂ）における経路Ｃ１、Ｃ２）はパターニング、ワイヤボンディング、スルーホール、ビアホールなどを用いて様々に構成できる。なお、本実施形態では、接続部１１０は非導電性の材質によって構成されている。また、図４ないし図６では図示していないが、圧電素子１２１、１２２の各々の板面１２１ａ、１２１ｂ、１２２ａ、１２２ｂにおいて部分的に、或いは板面全体を覆うように電極層を接合させ、この電極層と端子Ｔ１、Ｔ２とを経路Ｃ１，Ｃ２によって接続するようにしてもよい。なお、本実施形態において、圧電素子１２１、１２２は互いに同様の性質のものが設けられており、積層体１０６が前面７ａ（図１）に沿って撓んだ場合に（即ち図４のように撓んだ場合）、板面１２１ａと板面１２２ａとが同極となり、板面１２１ｂと板面１２２ｂとが同極となるように構成されている。
【０１００】
また、図７のような回路構成を採ることもできる。
図７は、図５において端子Ｔ１，Ｔ２に接続される発光素子１０３（ＬＥＤ）の代用構成を例示しており、端子Ｔ１、Ｔ２に発光素子１０３ａの群と、発光素子１０３ｂの群とを並列に接続している。本実施形態の圧電素子１０１は振動によって生じる電流の向きが変化するようになっており．駆動部は、一方の向きにおいて駆動する第１駆動部と、他方の向きにおいて駆動する第２駆動部とを備えた構成とすることができる。具体的には、発光素子１０３として、一方の向きにおいて発光する第１発光素子１０３ａと、他方の向きにおいて発光する第２発光素子１０３ｂとを備えており、双方の電流の向きに対応して各々の発光素子が駆動し２つの発光態様を生じさせることができる構成となっている。なお、第１発光素子１０３ａを例えば赤色ＬＥＤによって構成し、第２発光素子を緑色ＬＥＤによって構成すれば、赤色と緑色が交互に点灯することとなる。また第１及び第２発光素子を双方同色によって構成してもよい。
【０１０１】
＜実施形態２＞
次に、図８を参照して実施形態２について説明する。
図８は、実施形態２に係る遊技盤構成を例示しており、実施形態２では、実施形態１とは異なる遊技部品に圧電素子ユニット１００を配置した例を示している。本実施形態では、遊技球の流路の境界付近（より具体的にはレール２２の近傍位置）に配置され、かつ遊技球の衝突を受けるように構成される衝突受け部材１２０を有し、衝突受け部材１２０の一部が、圧電素子１０１に接続される接続部１１０によって構成されている。このようにすれば、遊技球の衝突を緩衝しつつ、受けたエネルギーを効果的に装飾に用いることができる構成となる。
【０１０２】
＜実施形態３＞
次に、図９を参照して実施形態３について説明する。
上述したように、遊技機１には、遊技球が進入可能に構成された入賞口４（スタートチャッカ）が設けられているが、本実施形態ではこの入賞口４に圧電素子ユニット１００を配置した例を示している。ここでは、圧電素子１０１に接続される接続部が入賞口４の内部に配置されており入賞口に進入する遊技球のエネルギーを効果的に装飾に用いるように構成されている。遊技盤７の前面７ａより後方に接続部１１０の一部が配置されており、かつ接続部１１０が遊技盤７の前面位置よりも前方に突出した構成をなしている。また、圧電素子ユニット１００の少なくとも一部が、遊技盤７に形成された加工孔７ｂに挿入された状態で配置されており、奥行き方向のスペースを利用して圧電素子ユニット１００を効率的に配置できるようになっている。本構成では、開口部４ｂから進入する遊技球Ｂの衝突によって接続部１１０が撓み、それに伴って発光する光が、透明部４ｃを介して前方に照射されることとなる。
【０１０３】
＜実施形態４＞
次に図１０を参照して実施形態４について説明する。
実施形態４では、図１０（ａ）のように入賞口開閉部材に圧電素子ユニット配置された例を示している。より具体的には、遊技球の径の２倍以上の開口幅を構成する大入賞口６が設けられており、この大入賞口６を開閉する入賞口開閉部材６ａに圧電素子ユニット１００が設けられている。
【０１０４】
本実施形態では、図１０（ｂ）のように、カバー部１０９（接続部に相当する）が圧電素子１０１に積層されており、当該圧電素子１０１の板面直交方向の所定位置においてカバー部１０９に遊技球が衝突するように構成されている。カバー部１０９が変形（例えば弾性変形）することにより圧電素子１０１にも変形が生じ、駆動電流が発生して当該圧電素子１０１に接続される発光素子が発光することとなる。発光素子１０３からの光は、透明部６ｃを介して前方に照射されることとなる。なお、ここに示す配置例はあくまで一例である。
【０１０５】
＜実施形態５＞
次に、図１１及び図１２を参照して実施形態５について説明する。
実施形態５では、圧電素子ユニット１００が遊技機用役物６０に適用された構成を例示している。図１１には遊技盤構成、図１２には要部の拡大図を示している。本構成では、図１２に示すように、入口付近において保持部６５に保持された状態で接続部１１０が配置されており、開閉部材６９の開閉（例えば、図示しない入賞口に遊技球が入賞することに基づく開閉）に伴って遊技球が進入した場合に接続部１１０に衝突するようになっている。当該接続部１１０が衝突によって撓むと、圧電素子１０１が変形し、その変形によって生じる駆動電流によりキャラクターの一部（ここでは手の部分）に配置された発光素子１０３が発光するようになっている。
【０１０６】
＜実施形態６＞
実施形態６について図１３ないし図１５を参照して説明する。
図１３は実施形態６に係る圧電素子ユニット１００の構成を例示する斜視図、図１４は回路構成図、図１５は発光素子の接続例を示している。実施形態６の圧電素子ユニット１００は、接続部１１０に複数の端子が設けられており、複数の発光素子１０７が実装されるようになっている。本実施形態では、発光素子１０７ａと１０７ｂが並列接続されており、一方の電流方向で発光素子１０７ａが発光し、他方の電流方向で発光素子１０７ｂが発光するように構成されている。ここでは、圧電素子１０１の振動によって電流方向が交互に変更するようになっており、発光素子１０７Ａと１０７ｂが交互に通電されるように構成されている。
【０１０７】
＜実施形態７＞
次に図１６ないし図２０を参照して実施形態７について説明する。
なお、図１６は、実施形態７に係る圧電素子ユニット２００が保持部材２０４に保持された状態を概念的に例示する斜視図、図１７は、その回路構成を例示する図、図１８は、図１７の正面図及び側面図である。図１９は、本実施形態に係る圧電素子ユニット２００を実施形態１と同様の戻り球防止部材に適用した構成を例示している。実施形態７では、圧電素子２０１（符号２０１は両圧電素子２２１、２２２を総称する符号とする）の一部が遊技球が衝突を受ける衝突部として構成されている例について説明する。本実施形態の両圧電素子２２１、２２２は、ともに板状に形成され、かつ双方が撓み変形可能に構成されており、圧電素子がより変形しやすくなり、起電力が生じやすい構成をなしている。ここでは、２枚の圧電素子２２１、２２２が接続板２０５を介して積層された構成をなし、その積層体２０２の少なくとも一部が変形可能に構成されている。積層体２０２は、２枚の圧電素子２２１，２２２を有するバイモルフ構造をなしており、これら圧電素子２２１，２２２の間に導体からなる又は導電性を有する接続板２０５が配置された構成をなしている。
【０１０８】
さらに、積層体２０２は、図１６に示すように、一端側が自由端とされ、他端側が保持部材２０４、２０４によって挟圧保持されて固定されており、当該自由端付近に遊技球が衝突可能とされている。ここでは、実施形態１と同様に（図１と同様に）、遊技盤７の前面よりさらに前方に積層体２０２全体が配置されており、図１９のように、当該積層体２０２において前面よりも前方に配置される部分に遊技球（図１９では発射レーンから飛び出してくる遊技球）が衝突するように構成されている。
【０１０９】
そして、積層体２０２は、図１６、図１９に示すように遊技盤７の前面に沿った方向（矢印の方向）に撓むように構成されており、遊技球の流れによる力によって変形しやすい構成をなしている。また、本実施形態においても、図１９に示すように、圧電素子２０１（両圧電素子２２１、２２２）と駆動部（発光素子２０３）とを備えてなる圧電素子ユニット２００において、少なくとも駆動部（発光素子２０３）が、デザインが施された樹脂カバー部２９２の内部に収容されるように装飾部２９０が構成されており、樹脂カバー部２９２から衝突部（即ち圧電素子２０１の一部）が、遊技球の流路に露出した構成をなしている。なお、樹脂カバー部２９２は、発光素子２０３の全体をカバーしており、発光素子２０３の前方には透光性を有する部分が設けられて発光素子２０３からの光を前方に照射可能に構成さている。また、本実施形態でも、圧電素子２０１と駆動部（発光素子２０３）とを備えてなる圧電素子ユニット２００全体が遊技盤７の前面よりも前方に配置された構成をなしている。
【０１１０】
さらに、駆動部たる発光素子２０３は制御基板（上述のメイン基板）に直接的（即ちメイン基板に）又は間接的に（メイン基板に接続されるサブ基板を介して）接続されておらず、圧電素子２２１，２２２のみが電源とされ、他の電源は用いられないようになっている。ここでは、発光素子２０３の一対の端子が圧電素子２２１，２２２にそれぞれに接合されており、圧電素子２２１、２２２と発光素子２０３との間の配線が省略され、極めてコンパクトな構成が実現されている。具体的には、図１８（ｂ）に示すように、圧電素子２２１の一方の板面２２１ｂと圧電素子２２２の一方の板面２２２ｂとが導電性を有する接続板２０５に接続されている。一方、圧電素子２２１の外側の板面２２１ａが端子Ｔ９において発光素子２０３の一方の端子に接続されており、圧電素子２２２の外側の板面２２２ａが端子Ｔ１０において発光素子２０３の他方の端子に接続されている。本実施形態では、図１６のように積層体２０２が一方側に撓むと、板面２２１ａと板面２２２ｂとが同極となり、板面２２１ｂと板面２２２ａとが同極となるように圧電素子２２１、２２２が構成、配置されている。なお、圧電素子２２１の板面２２１ａと圧電素子２２２の板面２２２ａとをそれぞれ部分的に、或いはそれぞれの板面全体を覆うように図示しない電極層を設けてもよい。この場合各々の電極層に発光素子２０３の各端子を接続するように構成できる。なお、このようにせずに、圧電素子２０３を所定のベース部材に接合し、このベース部材に発光素子２０３が実装されるような構成であってもよい。
【０１１１】
なお、本実施形態では、撓む方向によって生じる電流の向きが変化するように圧電素子２０１が構成されているため、図２０のような回路構成を用いてもよい。ここでは、駆動部として一方の向きにおいて駆動する第１駆動部と、他方の向きにおいて駆動する第２駆動部とを備えており、より具体的には、一方の向きにおいて発光する第１発光素子２０３ａと、他方の向きにおいて発光する第２発光素子２０３ｂとを備えた構成をなしている。このようにすれば、双方の電流の向きに対応して各々発光素子が配置されることとなり、例えば２つの発光態様を生じさせることができる構成となる。
【０１１２】
なお、図１６ないし図２０の例では、積層体全体が遊技盤の前面より前方に配置された例を示したが、遊技盤の前面より後方に積層体の一部が配置されていてもよい。例えば、図９と同様の構成とし、圧電素子２０１と駆動部（発光素子２０３）とを備えてなる圧電素子ユニット２００の少なくとも一部が、遊技盤７に形成された加工孔に挿入された状態で配置されていてもよい。このようにすれば、奥行き方向のスペースを利用して圧電素子ユニット２００を効率的に配置することができる。
【０１１３】
なお、本実施形態に係る圧電素子ユニット２００の適用例を図１９に示したが、これ以外の遊技部品に適用してもよい。例えば図８ないし図１２に示すような遊技部品に適用してもよい。
【０１１４】
＜実施形態８＞
次に図２１及び図２２を参照して実施形態８について説明する。
図２１は実施形態８に係る圧電素子ユニット２００を保持部材２０４と共に概念的に示す斜視図であり、図２２は、図２１の平面図及び側面図である。
実施形態８では、図２１及び図２２に示すように、両圧電素子２０１（両圧電素子２２１，２２２）の各々の板面を覆うようにカバー部２０６，２０６が配置されており、当該カバー部２０６，２０６の外面に遊技球が衝突するように構成されている。なお、回路構成や発光素子２０３の実装構成は実施形態７とほぼ同様であるが、実施形態８では実施形態７の構成に加えて圧電素子２０６の板面を覆うようにカバー部２０６，２０６を配置しており、カバー部２０６と圧電素子２０１との間において発光素子２０３と圧電素子２０１とが（より具体的には、発光素子２０３の一方の端子と圧電素子２２１とが接続され、発光素子２０３の他方の端子と圧電素子２２２とが）それぞれ接合されている。なお、本実施形態でも、実施形態７と同様に、遊技球の衝突により積層体２０２全体が撓み変形するように構成されている。なお、本実施形態に係る圧電素子ユニットも、上記実施形態と同様に、図２あるいは、図８ないし図１２に示すような各遊技部品に適用することができる。
【０１１５】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）接続部を圧電素子に積層し、当該圧電素子の板面直交方向の所定位置において接続部に遊技球が衝突するように構成してもよい。
【０１１６】
（２）圧電素子の板面に遊技球が衝突するように構成してもよい。このようにすれば、圧電素子の変形を大きくすることができ、効率的に電流を発生させることができることとなる。
【０１１７】
（３）圧電素子を所定のベース部材に接合し、このベース部材からハーネスを介して駆動部が接続されていてもよい。このようにすれば、圧電素子からある程度離れた場所で発光させたい場合に都合のよい構成となる。
【０１１８】
（４）図１等に示すように、遊技盤７において表示装置５を設け、この表示装置の上部に圧電素子ユニットを配置してもよい。このようにすれば、表示装置の上部スペースを利用して効率的な装飾が可能となる。
【０１１９】
（５）装飾部品内部において遊技球が通過可能となるようにワープルートを設け、このワープルートを流下する遊技球の衝突によって駆動電流が生じるように圧電素子ユニットを配置してもよい。このようにすれば、ワープルートが斬新な構成となる。
【０１２０】
（６）遊技盤に設けられる釘部品の一部又は全部に圧電素子が接続されていてもよい。このようにすれば、釘部品が受ける衝撃を効果的に装飾に利用できる構成となる。
【０１２１】
（７）遊技機用の風車部品を設け、当該風車部品の回転に応じて圧電素子が変形するように構成されていてもよい。このようにすれば、風車部品が受けるエネルギーを効果的に装飾に用いることができ、かつ斬新な風車部品を実現できる。
【符号の説明】
【０１２２】
１…遊技機
７…遊技盤
７ａ…前面
９０，２９０…装飾部品
９２，２９２…樹脂カバー部
１００，２００…圧電素子ユニット
１０１，２０１…圧電素子
１０３，２０３…発光素子（駆動部）
１１０…接続部
【図１】
2010075734.tif 000003
【図２】
2010075734.tif 000004
【図３】
2010075734.tif 000005
【図４】
2010075734.tif 000006
【図５】
2010075734.tif 000007
【図６】
2010075734.tif 000008
【図７】
2010075734.tif 000009
【図８】
2010075734.tif 000010
【図９】
2010075734.tif 000011
【図１０】
2010075734.tif 000012
【図１１】
2010075734.tif 000013
【図１２】
2010075734.tif 000014
【図１３】
2010075734.tif 000015
【図１４】
2010075734.tif 000016
【図１５】
2010075734.tif 000017
【図１６】
2010075734.tif 000018
【図１７】
2010075734.tif 000019
【図１８】
2010075734.tif 000020
【図１９】
2010075734.tif 000021
【図２０】
2010075734.tif 000022
【図２１】
2010075734.tif 000023
【図２２】
2010075734.tif 000024